(57)【要約】【課題】障子を開放した際に、サッシ枠に設けられた開口部の全領域を有効に開放することができる窓サッシを提供する。【解決手段】窓サッシの障子３１は、開口部２０の閉鎖時にサッシ枠１０を構成する縦枠１４に当接する縦框３５を有する。障子３１が開口部２０を最大に開放する最大開放位置に位置する際に、該障子３１は縦框３５の室内側側面全体が嵌め殺し窓部１８の方立２３にて覆われるように配置されるとともに、縦框３５の縦枠１４に当接する当接面３９側には指掛け溝４０が設けられている。障子３１を最大開放位置に位置させると縦框３５の室内側側面全体が嵌め殺し窓部１８にて覆われて障子３１が開口部２０に残ることがない。【選択図】図１
2011157691.tif 000002
【特許請求の範囲】
【請求項１】
サッシ枠内で開口部と閉鎖部とを有し、前記サッシ枠に対して片引き自在に設けられるとともに前記開口部を開閉する障子とを備えた窓サッシにおいて、
前記障子は、前記開口部の閉鎖時に前記サッシ枠を構成する縦枠に当接する戸当たり框を含み、前記戸当たり框の室内側側面に第１指掛け部が設けられ、
前記障子が前記開口部を最大に開放する最大開放位置に位置する際に前記戸当たり框の室内側側面に設けられた全体が前記閉鎖部にて覆われるように配置され、前記戸当たり框の前記縦枠に当接する当接面側に第２指掛け部が設けられていることを特徴とする窓サッシ。
【請求項２】
前記障子が最大開放位置に位置する際に、前記閉鎖部に対向する前記戸当たり框の側面に第１指掛け部が設けられていることを特徴とする請求項１に記載の窓サッシ。
【請求項３】
前記第２指掛け部は、室内側に位置する第１突条と室外側に位置する第２突条の間に設けられた指掛け溝により構成されていることを特徴とする請求項１に記載の窓サッシ。
【請求項４】
前記第１突条は、前記第２突条よりも高く形成されていることを特徴とする請求項３に記載の窓サッシ。
【請求項５】
第１指掛け部は、溝に形成されるとともに、該溝において中央部から開口部側に行くほど深さが浅くなるように徐々に変化することを特徴とする請求項２乃至請求項４のうちいずれか１項に記載の窓サッシ。
【発明の詳細な説明】
【技術分野】
【０００１】
本発明は、サッシ枠の開口部を有効に使用できる窓サッシに関する。
【背景技術】
【０００２】
従来の窓サッシの一例を図５を参照して説明する。図５は窓サッシの平断面である。サッシ枠１００は、上枠（図示しない）、下枠１１０、及び左右の縦枠１２０により四角枠状に形成されている。なお、図５では、左右の縦枠の内、右側の縦枠１２０のみが図示されている。前記サッシ枠１００には、左右の縦枠１２０の間に設けられた方立１３０を境として、左側にガラス２００が固定された嵌め殺し窓部２１０が設けられて閉鎖部が構成されている。
【０００３】
又、ガラス障子１４０は、嵌め殺し窓部２１０の外部側に配置されるとともに、方立１３０の右側と右の縦枠１２０間に形成された開口部１５０を開閉するようにサッシ枠１００の上下枠のレール１５５に対して片引き戸式に移動自在に取り付けられている。
【０００４】
ガラス障子１４０の枠体１４０ａは、上框（図示しない）、下框１４２、及び左右一対の縦框１４４，１４６により四角枠状に形成されるとともに、前記框間にガラス１６０が嵌め込まれている。ガラス障子１４０の右の縦框１４６は戸当たり框である。ガラス障子１４０は、開放時にはサッシ枠１００の上枠及び下枠１１０に設けられたストッパ１７０により規制されて、前記縦框１４６が、図５に示すように、開口部１５０の一部の空間域に残るようにされている。このストッパ１７０によりガラス障子１４０が規制される位置は、前記開口部１５０を有効開口面積を最大にする位置、すなわち、最大開放位置となる。ガラス障子１４０が最大開放位置に位置する際に、前記縦框１４６のうち一部が開口部１５０内に位置する。
【０００５】
前記縦框１４６の前記一部において、室内側に向かう面には、図５に示すように、人の指を掛けることが可能に凹溝からなる指掛け部１４６ａが設けられている。ガラス障子１４０は、操作する人の指を指掛け部１４６ａに掛け止めすることにより、開閉操作可能にされている。
【０００６】
なお、障子を閉じた際に、該障子と窓枠に手や指を挟んでも傷つけることがないようにした技術は、特許文献１で公知である。特許文献１では、障子の戸当たり框に障子側緩衝材が設けられるとともに、窓枠の縦枠に枠側緩衝材が設けられている。特許文献１では、手、又は指が戸当たり框と縦枠間に挟まった際に、障子側緩衝材と枠側緩衝材とにより、手、指が緩衝される。
【先行技術文献】
【特許文献】
【０００７】
【特許文献１】特開２００５−３５０９８６号公報
【発明の概要】
【発明が解決しようとする課題】
【０００８】
図５の従来例では、前記縦框１４６に設けられた指掛け部１４６ａは、ガラス障子１４０が開放時及び閉鎖時において、開口部１５０内に常に位置することになる。これは、ガラス障子１４０を室内側から操作するために、指掛け部１４６ａを開口部１５０内に位置させるためである。
【０００９】
ところで、この種の窓サッシでは、室内の空気を換気したい場合、ガラス障子１４０を開放するが、ガラス障子１４０を前記最大開放位置に位置させた状態においても、指掛け部１４６ａを室内側から見えるように位置させるため、開口部１５０の全領域を開放部として有効に利用できない問題があった。
【００１０】
なお、特許文献１では、手又は指が戸当たり框と縦枠間に挟まった際に、障子側緩衝材と枠側緩衝材とにより、手、指緩衝されるものの、障子を開放した際に、窓の開口の全領域を開放部として有効に利用する技術は開示されていない。
【００１１】
本発明の目的は、上記課題を解決して、障子を開放した際に、サッシ枠に設けられた開口部を有効に開放することができる窓サッシを提供することにある。
【課題を解決するための手段】
【００１２】
上記問題点を解決するために、請求項１の発明は、サッシ枠内で開口部と閉鎖部とを有し、前記サッシ枠に対して片引き自在に設けられるとともに前記開口部を開閉する障子とを備えた窓サッシにおいて、
前記障子は、前記開口部の閉鎖時に前記サッシ枠を構成する縦枠に当接する戸当たり框を含み、前記戸当たり框の室内側側面に第１指掛け部が設けられ、前記障子が前記開口部を最大に開放する最大開放位置に位置する際に前記戸当たり框の室内側側面に設けられた全体が前記閉鎖部にて覆われるように配置され、前記戸当たり框の前記縦枠に当接する当接面側に第２指掛け部が設けられていることを特徴とする窓サッシを要旨とするものである。
【００１３】
請求項２の発明は、請求項１において、前記障子が最大開放位置に位置する際に、前記閉鎖部に対向する前記戸当たり框の側面に第１指掛け部が設けられていることを特徴とする。
【００１４】
請求項３の発明は、請求項１において、前記第２指掛け部は、室内側に位置する第１突条と室外側に位置する第２突条の間に設けられた指掛け溝により構成されていることを特徴とする。
【００１５】
請求項４の発明は、請求項３において、前記第１突条は、前記第２突条よりも高く形成されていることを特徴とする。
請求項５の発明は、請求項２乃至請求項４のうちいずれか１項において、第１指掛け部は、溝に形成されるとともに、該溝において中央部から開口部側に行くほど深さが浅くなるように徐々に変化することを特徴とする。
【発明の効果】
【００１６】
請求項１の発明によれば、障子を最大開放位置に位置すると戸当たり框の室内側側面の第１指掛け部が閉鎖部にて覆われるように配置されるため、その分、障子を従来よりも閉鎖部側に移動できるため、障子を開けた際に、サッシ枠に設けられた開口部の領域を有効に開放することができる。又、最大開放位置に位置する障子を閉める際には、戸当たり框の当接面に設けられている第１指掛け部に作業者は指を掛けることにより、障子を引き出して操作することができる。
【００１７】
請求項２の発明によれば、最大開放位置に位置した障子を第２指掛け部に指をかけて戸当たり框を開口部側に引き出した後、第１指掛け部に指をかけて閉じ操作を行うことにより、障子を閉じ操作することができる。又、閉じられた障子は、第１指掛け部に指をかけることにより開放操作することができる。さらに、開放操作される際、障子の戸当たり框が閉鎖部にて覆われる直前に第１指掛け部から第２指掛け部に指を掛け替えて操作することにより最大開放位置に障子を位置させることができる。
【００１８】
請求項３の発明によれば、指掛け溝に指をかけることにより、障子を開閉操作することができる。
請求項４の発明によれば、室内側に位置する第１突条に指掛けすることにより、障子を楽に操作することができる。
【００１９】
請求項５の発明によれば、第１指掛け部に指をかけて障子を開ける際、戸当たり框が閉鎖部により覆われる直前に第１指掛け部に掛けていた指を、前記中央部から開口部側に行くほど浅くなるように深さか徐々に変化する部位にて第１指掛け部から退去するようにガイドできる。この結果、障子を開ける際に、戸当たり框と閉鎖部間において、第１指掛け部に掛けていた指の指挟みを防止することができる。
【図面の簡単な説明】
【００２０】
【図１】（ａ）は一実施形態の窓サッシの障子が閉じた状態の平断面図、（ｂ）は窓サッシの障子が開けた状態の平断面図。
【図２】一実施形態の窓サッシの障子が閉じた状態の側断面図。
【図３】一実施形態の窓サッシの全体概略図。
【図４】（ａ）、（ｂ）は、第１指掛け部の作用を示す説明図。
【図５】従来の窓サッシの平断面図。
【発明を実施するための形態】
【００２１】
以下、本発明を腰高窓の窓サッシに具体化した一実施形態を図１〜図４を参照して説明する。
図３に示すように窓サッシのサッシ枠１０は、上枠１１、下枠１２、及び左右の縦枠１３，１４により四角枠状に形成されるとともに建物の壁に固定されている。上枠１１、下枠１２、及び左右の縦枠１３，１４は、例えばアルミ合金からなる押出し成形材から形成されている。なお、図３は、室内側から見たサッシ枠１０の状態が図示されている。
【００２２】
前記サッシ枠１０には、左右方向の中央部には嵌め殺し窓部１８が設けられている。なお、本明細書において、左右は、室内側から窓サッシを見た場合を基準にして表現する。サッシ枠１０において、嵌め殺し窓部１８の左右には、一対の開口部１９，２０が設けられている。開口部１９，２０の左右の幅は、人が出入り不能な大きさに設定されている。
【００２３】
嵌め殺し窓部１８は、上枠１１，下枠１２に固定された四角枠状の枠体２１と、枠体２１に固定された複層ガラス１７とを備えている。枠体２１は、一対の方立２２，２３と、前記方立１５，１６の上下両端部間に架設された上枠２４、下枠２５を備えている。方立２２，２３と、前記方立１５，１６は、例えば、アルミ合金からなる押出し成形材から形成されている。前記嵌め殺し窓部１８は閉鎖部に相当する。
【００２４】
次に、開口部１９，２０を開閉する障子３０，３１について説明する。なお、開口部１９，２０は、嵌め殺し窓部１８を中央にして左右対称となっているため、嵌め殺し窓部１８の右側に位置する開口部２０に設けられた障子３１について説明する。開口部１９側の障子３０は障子３０の左右構成が逆の構成であることが異なるだけであるため、詳細な説明を省略する。
【００２５】
又、図１（ａ）、（ｂ）、図２に示すように障子３１はガラス障子であって、嵌め殺し窓部１８の室外側に配置されている。図１（ａ）、（ｂ）に示すように障子３１は、方立２３の右側と右の縦枠１４との間に形成された開口部２０を開閉するようにサッシ枠１０の上枠１１，下枠１２のレール１１ａ，１２ａに対して片引き戸式に左右方向に移動自在に取り付けられている。方立２３は、縦枠１４に対向する面２３ａを有する。
【００２６】
障子３１の枠体は、上框３２、下框３３、及び左右一対の縦框３４，３５により四角枠状に形成されるとともに、前記框間にガラス３６が嵌め込まれている。  前記上框３２、下框３３、及び左右一対の縦框３４，３５は、例えば、アルミ合金からなる押出し成形材から形成されている。障子３１の右の縦框３５は戸当たり框である。
【００２７】
縦框３５は、図１（ａ）に示すように、四角柱状の本体３５ａを備えている。本体３５ａの縦枠１４に向く側面には、室内側側縁及び室外側側縁から縦枠１４に向かってそれぞれ突出した第１突条３７と、第２突条３８が設けられている。第１突条３７及び第２突条３８は上下方向に延出されている。第１突条３７は、第２突条３８よりも本体３５ａからの高さが高くされている。
【００２８】
第１突条３７の先端は９０度強に第２突条３８に向かって折曲げされて縦枠１４に向く面が、縦枠１４に当接可能となっている。なお、第１突条３７の折り曲げ角度は９０度強に限定されるものではなく、第２突条３８に向かう角度であればよい。以下、この面を当接面３９という。又、第１突条３７と第２突条３８との間には、人の指が挿入可能な指掛け溝４０が形成されている。指掛け溝４０は、第２指掛け部に相当する。
【００２９】
障子３１は、開口部２０の開放時にはサッシ枠１０の上枠１１及び下枠１２に固定されたストッパ（図示しない）により規制されて、前記縦框３５が、図１（ｂ）に示すように、開口部２０に残らないようにされている。すなわち、図１（ｂ）に示すように前記ストッパにより障子３１が規制される位置は、前記開口部２０を有効開口面積を最大にする位置、すなわち、最大開放位置となる。この最大開放位置は、本実施形態では、前記縦框３５の当接面３９が方立２３の縦枠１４に対向する面２３ａと面一となる位置である。この縦框３５の当接面３９がこの位置に位置することにより、障子３１は、嵌め殺し窓部１８により、縦框３５を含む全体が覆われる。なお、本実施形態では、最大開放位置は、縦框３５の当接面３９が方立２３の縦枠１４に対向する面２３ａと面一となる位置に位置としたが、縦框３５の当接面３９を図１（ｂ）において、前記面２３ａよりもさらに左方に位置するようにしてもよい。
【００３０】
前記縦框３５の本体３５ａにおいて、室内側に向かう面には、図１（ａ）、（ｂ）に示すように、人の指を掛けることが可能に上下方向に延出された断面凹状をなす凹溝４１が設けられている。凹溝４１は第１指掛け部に相当する。
【００３１】
前記凹溝４１は、縦框３５の中央部から開口部２０側に行くほど深さが浅くなるように徐々に変化して形成されている。この深さが徐々に浅くなるように変化した面を以下ガイド面４１ａという。
【００３２】
又、図１（ａ）、（ｂ）に示すように障子３１の縦框３４において、嵌め殺し窓部１８と対向する面には、断面Ｌ字状の掛け止め突条３４ａが形成されている。掛け止め突条３４ａは、障子３１が、図１（ａ）に示すように開口部２０を閉じる閉鎖位置に配置された状態では、方立２３の室外側の側面に設けられた断面Ｌ字状の掛け止め突条２３ｂと着脱自在に掛け止めされる。図１（ａ）、（ｂ）に示すように、縦枠１４において、方立２３と対向する面には、嵌合溝を有する取付突条１４ａが突設されている。取付突条１４ａの嵌合溝には、閉鎖位置に位置する障子３１の当接面３９の室内側の側面に当接するゴムシール４５が嵌合されている。
【００３３】
又、サッシ枠１０において、障子３１の室外側には、上枠１１及び下枠１２にレール１１ｂ，１２ｂが設けられている。レール１１ｂ，１２ｂには、網戸５０が嵌め込まれている。なお、図２では網戸５０は省略されている。前記網戸５０は、レール１１ｂ，１２ｂに取付け固定されたストッパ部材５２により左右方向に移動不能となっている。なお、図１（ａ）、（ｂ）では、レール１２ｂに設けられたストッパ部材５２のみ図示されている。
【００３４】
なお、開口部１９に設けられた障子３０は、開閉方向が左右逆になる以外は障子３１と同様に構成されているため、説明を省略する。
（実施形態の作用）
さて、上記のように構成された窓サッシの作用について説明する。説明の便宜上、窓サッシには、一対の障子３０，３１が設けられているが、以下では障子３１の作用について説明することにして障子３０については障子３１と同様の構成であるため説明を省略する。
【００３５】
図１（ａ）に示すように障子３１が閉鎖位置に位置している状態から説明する。障子３１を閉鎖位置から、最大開放位置に移動する場合、室内側にいる人が、手の指を凹溝４１に入れて左方に移動操作する。そして、縦框３５が、図４（ａ）に示すように方立２３に隠れる（すなわち、覆われる）寸前に、図４（ｂ）に示すように、凹溝４１から指を離間する。この後、人は、縦框３５の当接面３９側を左方に押圧するか、又は、指掛け溝４０内に手の指を入れて、第１突条３７に指をかけた状態で左方へ押圧する。この操作により、障子３１は、図示しないストッパに当接することにより、最大開放位置に位置させることができる。
【００３６】
この最大開放位置は、図１（ｂ）に示すように縦框３５の当接面３９が方立２３の縦枠１４に対向する面２３ａと面一となる位置である。このため、開口部２０は従来と異なり、狭くなることがなく、開口部２０の全領域を有効に利用して、室内の空気を換気することができる。
【００３７】
なお、網戸５０がある場合は、網戸５０の開口範囲の許容する範囲で、開口部２０の全領域を有効に開放できる。
次に、最大開放位置に位置する障子３１を再び閉鎖位置に移動する場合、室内にいる人が、手の指を指掛け溝４０内に入れて、第１突条３７に指をかけた状態で右方へ操作する。このとき、第１突条３７の先端が第２突条３８に向かって折り曲げされており、障子３１を閉鎖するときに、この折り曲げ部（当接面）に指を引掛けることができ操作しやすい。この操作により、障子３１は、右方へ移動する。縦框３５が、方立２３から出た後、室内にいる人が、手の指を指掛け溝４０から凹溝４１に掛け替えて、同じく右方へ障子３１を操作して閉鎖位置に位置させる。
【００３８】
左側の障子３０の作用については、閉鎖方向と開放方向が、障子３１と反対であるため、説明を省略する。
本実施形態では、下記の特徴を有する。
【００３９】
（１）  本実施形態では、障子３０，３１を最大開放位置に位置させると縦框３５の室内側側面全体が嵌め殺し窓部１８（閉鎖部）にて覆われるように配置されて障子３１が開口部２０に残ることがなくなる。このため、障子３０，３１を開けた際に、サッシ枠１０に設けられた開口部１９，２０の全範囲を有効に開放することができ、換気時の開口部１９，２０を広くできる。
【００４０】
さらに、最大開放位置に位置する障子３０，３１を閉める際には、縦框３５の当接面３９に設けられている指掛け溝４０（第２指掛け部）に指を掛けることにより、障子３０，３１を引き出して操作することができ、スムーズに障子の操作ができる。
【００４１】
又、障子３０，３１の外方に、防犯用に格子を設けたり、或いは、網戸５０を固定する場合がある。又、前記格子、或いは網戸５０が障子３０，３１に接近されて配置されている仕様の場合であっても、障子３０，３１の縦框３５（戸当たり框）の室外側の側面に引き戸を操作するための、凹部、溝等からなる指掛け部を設けることがある。このような場合、前記格子、或いは、網戸５０に手が干渉して前記指掛け部に手の指が入り難くなり、障子３０，３１の閉鎖方向の操作がし難い問題がある。
【００４２】
本実施形態によれば、前記格子、或いは、網戸５０が障子３０，３１に接近していても、縦框３５（戸当たり框）の当接面側に指掛け溝４０（第２指掛け部）を設けているため、操作が妨害されることはない。
【００４３】
（２）  本実施形態の窓サッシは、障子３０，３１が最大開放位置に位置する際に、障子３０，３１を指掛け溝４０（第２指掛け部）に指をかけて縦框３５（戸当たり框）を開口部側に引き出した後、凹溝４１（第１指掛け部）に指をかけることにより、障子３０，３１を閉じ操作することができる。又、閉じられた障子３０，３１は、凹溝４１に指をかけることにより開放操作することができる。さらに、障子３０，３１が開放操作される際、障子３０，３１の縦框３５が嵌め殺し窓部１８（閉鎖部）にて覆われる直前に凹溝４１から指掛け溝４０に指を掛け替えて操作することにより最大開放位置に障子３０，３１をスムーズに位置させることができる。
【００４４】
（３）  本実施形態の窓サッシにおいて、第１突条３７は、第２突条３８よりも高く形成されている。この結果、室内側に位置する第１突条３７に対して指先を添えるだけで、指掛けを楽に行うことができるとともに、この指掛けにより、障子３０，３１を楽に操作することができる。
【００４５】
（４）  本実施形態の窓サッシは、第１指掛け部としての凹溝４１において中央部から開口部２０側に行くほど深さが浅くなるように徐々に変化する。この結果、凹溝４１に指をかけて障子３１を開ける際、縦框３５（戸当たり框）が嵌め殺し窓部１８（閉鎖部）により覆われる直前に凹溝４１（第１指掛け部）に掛けていた指を、前記中央部から開口部側に行くほど浅くなるように深さが徐々に変化するガイド面４１ａにて凹溝４１（第１指掛け部）から退去するようにガイドできる。この結果、障子３１を開ける際に、縦框３５と嵌め殺し窓部１８（閉鎖部）間において、凹溝４１に掛けていた指の指挟みを防止することができる。
【００４６】
なお、本発明の実施形態は前記実施形態に限定されるものではなく、下記のように変更しても良い。
・  前記実施形態では、障子３１を最大開放位置に位置させたとき嵌め殺し窓部１８（閉鎖部）の方立２３に縦框３５を覆うようにしたが、嵌め殺し窓部１８の複層ガラス１７で覆うようにしてもよい。
【００４７】
・  前記実施形態では、当接面３９を縦枠１４に対向する面２３ａと面一になるようにしたが、凹溝４１が閉鎖部に隠れるのであれば、前記面２３ａよりも開口部２０側に位置させてもよい。この場合においても、従来よりも開口部２０を有効に換気に利用できる。
【００４８】
・  前記実施形態では閉鎖部を複層ガラス１７を備える嵌め殺し窓部１８により構成したが、閉鎖部をパネル、或いは壁にて構成してもよい。
・  前記実施形態では、一対の障子３０，３１を設けたが、いずれか一方を省略してもよい。
【００４９】
・  前記実施形態では、第１指掛け部を凹溝４１としたが、断面形状は凹溝に限定するものではなく、例えば円弧状の溝であってもよい。或いは、第１指掛け部として本体３５ａの側面に孔を形成して、指をかけられるようにしてもよい。或いは、第１指掛け部は突条、又は突起であってもよい。
【００５０】
・  前記実施形態では、第１突条３７を第２突条３８よりも高さを高くしたが、第１突条３７を第２突条３８と同じ高さにして、指が挿入可能な間隔（すなわち、第１突条３７と第２突条３８との先端間の間隔）を指掛け溝４０を備えるように形成してもよい。或いは、第２突条３８の方が第１突条３７よりも高いものであってもよい。この場合においても指が挿入可能な間隔（すなわち、第１突条３７と第２突条３８との先端間の間隔）を指掛け溝４０を備えるように形成するものとする。
【００５１】
・  前記実施形態では、障子３０，３１をガラス障子としたが、ガラスの代わりに合成樹脂、紙等の他の材料に変更してもよい。
・  前記実施形態では、腰高窓の窓サッシに具体化したが、掃き出し窓の窓サッシに具体化してもよい。
【符号の説明】
【００５２】
１０…サッシ枠、１８…嵌め殺し窓部（閉鎖部）、
１９，２０…開口部、２２…開口部、
２３ａ…縦枠１４に対向する面、
３０，３１…障子、３５…縦框（戸当たり框）、
３７…第１突条、３８…第２突条、
４０…指掛け溝（第２指掛け部）、４１…凹溝（第１指掛け部）。
【図１】
2011157691.tif 000003
【図２】
2011157691.tif 000004
【図３】
2011157691.tif 000005
【図４】
2011157691.tif 000006
【図５】
2011157691.tif 000007